(57)【要約】【課題】同軸落射照明装置を実体顕微鏡に装着したままで、同軸落射照明と傾斜照明との切り換えが容易なこと。【解決手段】対物レンズ７の先端部７ａに取り付けた照明切換え枠９内において、ミラー２１を各照明光軸ｑ、ｑ’に対して挿脱可能に設けた。【選択図】    図５
2004361582.tif 000002
【特許請求の範囲】
【請求項１】
標本位置で互いに一致する内向角を有する一対の観察光軸上に配置された一対の対物レンズを有する実体顕微鏡において、
前記対物レンズと前記標本との間の前記観察光軸上に配置された半透明鏡と、
前記観察光軸に対して所定の角度に傾斜し、かつ前記標本を含む標本付近を通る一対の照明光軸上に配置された一対の光源と、
前記照明光軸上に配置され、前記光源から出射された照明光を前記標本上に集光する一対の照明レンズと、
前記照明レンズにより集光された前記照明光を前記半透明鏡に導く、又は前記照明レンズにより集光された前記照明光を直接前記標本に導くミラーと、
を具備したことを特徴とする実体顕微鏡用同軸落射照明装置。
【請求項２】
前記半透明鏡と前記照明レンズと前記ミラーとは、前記対物レンズの先端部に取り付け取り外し可能な筐体内に設けたことを特徴とする請求項１記載の実体顕微鏡用同軸落射照明装置。
【請求項３】
前記ミラーは、前記照明光軸に対して挿脱可能に設けられたことを特徴とする請求項１又は２記載の実体顕微鏡用同軸落射照明装置。
【請求項４】
前記ミラーは、一端側を回転可能に設けた回転板の他端に設け、前記回転板の回転により前記ミラーを前記照明光軸に対して挿脱することを特徴とする請求項１又は２記載の実体顕微鏡用同軸落射照明装置。
【請求項５】
前記ミラーは、スライド軸に設け、このスライド軸のスライド移動により前記ミラーを前記照明光軸上に対して挿脱することを特徴とする請求項１又は２記載の実体顕微鏡用同軸落射照明装置。
【請求項６】
前記半透明鏡は、前記観察光軸に対して挿脱可能に設けられたことを特徴とする請求項１又は２記載の実体顕微鏡用同軸落射照明装置。
【請求項７】
前記半透明鏡は、一端側を回転可能に設けた回転板の他端に設け、前記回転板の回転により前記半透明鏡を前記観察光軸に対して挿脱することを特徴とする請求項１又は２記載の実体顕微鏡用同軸落射照明装置。
【請求項８】
前記ミラーを前記照明光軸に対して挿脱可能に設け、かつ前記半透明鏡を前記観察光軸に対して挿脱可能に設けたことを特徴とする請求項１又は２記載の実体顕微鏡用同軸落射照明装置。
【請求項９】
前記ミラーと前記半透明鏡とは連動して前記照明光軸と前記観察光軸とに対して挿脱し、前記ミラーが前記照明光軸上に配置されると前記半透明鏡は前記観察光軸から外れ、前記ミラーが前記照明光軸から外れると前記半透明鏡は前記観察光軸上に配置されることを特徴とする請求項７記載の実体顕微鏡用同軸落射照明装置。
【発明の詳細な説明】
【０００１】
【発明の属する技術分野】
本発明は、実体顕微鏡の対物レンズ先端に取り付けて同軸落射照明を可能にする実体顕微鏡用同軸落射照明装置に関する。
【０００２】
【従来の技術】
実体顕微鏡の落射照明方法としては、傾斜照明方法及び同軸落射照明方法などが一般的に用いられる。傾斜照明方法は、標本に対して斜め方向から照明光を照射する。この傾斜照明方法を行うには、実体顕微鏡の観察光軸外、例えばサイド方向や実体顕微鏡を保持し焦準を行うための架台の懐から等からランプやファイバを用いて標本を照射する。
【０００３】
同軸落射照明方法は、標本の深部まで影のない鮮明な観察像を取得するため、又は反射率の高い標本を観察するに際して観察系に入射する光量不足のない観察像を得るために実体顕微鏡の観察光軸と照明光軸を一致させて照明する。
【０００４】
実体顕微鏡で同軸落射照明方法を行うには、同軸落射照明装置が必要となる。この同軸落射照明装置としては、例えば特許文献１及び２に記載された技術がある。特許文献１は、鏡体の内部に半透明鏡を内蔵して同軸落射照明専用鏡体とすることを記載する。特許文献２は、対物レンズの先端に同軸落射照明装置を着脱可能に取り付けることで、同軸落射照明を可能にすることを記載する。
【０００５】
【特許文献１】
実用新案登録第２５２７１５８号公報
【０００６】
【特許文献２】
特公昭６３−１０４０８号公報
【０００７】
【発明が解決しようとする課題】
実際の実体顕微鏡を用いての標本観察では、ユーザにより各々の標本の種類に合わせて最適な照明方法を選択又は複数の観察方法に切り換えながら観察を行っている。しかしながら、傾斜照明方法と同軸落射照明方法とを切り換えて使うユーザにとっては、双方の照明法の切り換え操作が非常に煩わしい。
【０００８】
特許文献１に記載されているように同軸落射照明内蔵タイプの鏡体を用いた場合では、傾斜照明用と同軸落射照明用との各光源を別々にして用意する必要があり、コスト高となる。又、傾斜照明と同軸落射照明を切り換え操作するときは、各光源もオン・オフしなければならない。同軸落射照明内蔵タイプの鏡体には、傾斜照明時に不要な偏光板やλ／４板を内蔵しているので、観察像が劣化してしまう等の問題もある。
【０００９】
一方、特許文献２に記載されているように対物レンズ先端に同軸落射照明装置を取り付ける場合では、傾斜照明用の光源を別途用意しなければならないのは言うまでもない。さらに標本に対して傾斜照明を行うときには、不要な同軸落射照明装置を対物レンズ先端に取り付けた状態にある。このため、傾斜照明光が同軸落射照明装置に遮られてしまい、観察光軸外から標本に照明光を照射するするのが非常に困難である。
【００１０】
本発明は、同軸落射照明装置を実体顕微鏡に装着したままで、同軸落射照明と傾斜照明との切り換えが容易な実体顕微鏡用同軸落射照明装置を提供することを目的とする。
【００１１】
【課題を解決するための手段】
本発明は、標本位置で互いに一致する内向角を有する一対の観察光軸上に配置された一対の対物レンズを有する実体顕微鏡において、対物レンズと標本との間の観察光軸上に配置された半透明鏡と、観察光軸に対して所定の角度に傾斜し、かつ標本を含む標本付近を通る一対の照明光軸上に配置された一対の光源と、照明光軸上に配置され、光源から出射された照明光を標本上に集光する一対の照明レンズと、照明レンズにより集光された照明光を半透明鏡に導く、又は照明レンズにより集光された照明光を直接標本に導くミラーとを具備した実体顕微鏡用同軸落射照明装置である。
【００１２】
本発明における半透明鏡と照明レンズとミラーとは、対物レンズの先端部に取り付け取り外し可能な筐体内に設けることが好ましい。
【００１３】
本発明におけるミラーは、照明光軸に対して挿脱可能に設けることが好ましい。
【００１４】
本発明におけるミラーは、一端側を回転可能に設けた回転板の他端に設け、回転板の回転によりミラーを照明光軸に対して挿脱することが好ましい。
【００１５】
本発明におけるミラーは、スライド軸に設け、このスライド軸のスライド移動によりミラーを照明光軸上に対して挿脱することが好ましい。
【００１６】
本発明における半透明鏡は、観察光軸に対して挿脱可能に設けらることが好ましい。
【００１７】
本発明における半透明鏡は、一端側を回転可能に設けた回転板の他端に設け、回転板の回転により半透明鏡を観察光軸に対して挿脱することが好ましい。
【００１８】
本発明におけるミラーを照明光軸に対して挿脱可能に設け、かつ半透明鏡を観察光軸に対して挿脱可能に設けることが好ましい。
【００１９】
本発明におけるミラーと半透明鏡とは連動して照明光軸と観察光軸とに対して挿脱し、ミラーが照明光軸上に配置されると半透明鏡は観察光軸から外れ、ミラーが照明光軸から外れると半透明鏡は観察光軸上に配置されることが好ましい。
【００２０】
【発明の実施の形態】
以下、本発明の第１の実施の形態について図面を参照して説明する。
【００２１】
図１はグリノー型実体顕微鏡の外観図である。ステージ１上には、標本２が載置される。このステージ１上には、架台３が立設している。この架台３には、顕微鏡鏡体４が支持アーム５を介して上下移動可能に設けられている。支持アーム５の上下移動は、焦準ハンドル６の操作により行なわれる。
【００２２】
顕微鏡鏡体４の下部には、対物レンズ７が取り付けられると共に、上部に接眼レンズ８が取り付けられている。対物レンズ７の先端部には、照明切換え枠９が取り付けられている。この照明切換え枠９には、２つの照明用光ファイバ１０を介して光源が接続されている。
【００２３】
図２乃至図４はグリノー型実体顕微鏡の光学系を示す図であって、図２は鳥瞰図、図３は側面図、図４は正面図である。グリノー型実体顕微鏡は、左右に２つの観察光軸ｍ、ｍ’を有する。これら観察光軸ｍ、ｍ’は、内向角θ＝５°（一般的には５〜６°程度）を持って標本２の面で合致する。
【００２４】
観察光軸ｍ、ｍ’上には、ハーフミラーやプリズムなどの半透明鏡２０が設けられている。この半透明鏡２０は、２つの観察光軸ｍ、ｍ’を含む平面を、図４に示すように２つの観察光軸ｍ、ｍ’の二等分線ｐを中心に９０°回転させた平面に対して垂直に交差し、かつ標本２の面に対して鋭角を成すように配置されている。
【００２５】
２つの観察光軸ｍ、ｍ’上でかつ標本２の面側から進行して半透明鏡２０で反射した２つの照明光軸ｎ、ｎ’上にミラー２１が配置されている。２つの照明光軸ｎ、ｎ’は、半透明鏡２０から斜め下方に進む光軸である。
【００２６】
さらに、２つの照明光軸ｎ、ｎ’が半透明鏡２０側からミラー２１で反射した２つの照明光軸ｑ、ｑ’上には、各コンデンサレンズ２２、２３と各ファイバ光源（もしくはランプ）２４、２５を設けている。２つの照明光軸ｑ、ｑ’は、ミラー２１から斜め上方に進む光軸である。なお、各ファイバ光源２４、２５は、各照明用光ファイバ１０の各光出射口である。
【００２７】
２つの照明光軸ｑ、ｑ’は、図３に示すように２つの観察光軸ｎ、ｎ’に対して所定の角度、例えば２５°を有している。２つの照明光軸ｑ、ｑ’の延長線上には、標本２の面が位置している。さらに、２つの観察光軸ｎ、ｎ’及び２つの照明光軸ｑ、ｑ’は、図４に示すように半透明鏡２０に対して内向角θ＝５°分の傾きを有している。
【００２８】
各ファイバ光源２４、２５から出射される各照明光は、ミラー２１を各照明光軸ｑ、ｑ’から脱した状態で標本２に直接照射される。このとき、各照明光軸ｑ、ｑ’は、標本２の中心から多少ズレていても標本２を十分照射できる程度のズレであれば、傾斜照明の性能は満足する。
【００２９】
２つのファイバ光源２４、２５から出射された各照明光は、各コンデンサレンズ２２、２３により各照明光軸ｎ、ｎ’に沿って進み、ミラー２１で反射した後、半透明鏡２０で反射し、各観察光軸ｍ、ｍ’に沿って進んで標本２を照射することで同軸落射照明を可能にしている。
【００３０】
標本２からの観察光は、２つの観察光軸ｍ、ｍ’に沿って進み、半透明鏡２０を透過した後、実体顕微鏡の対物レンズ７に導かれる。
【００３１】
図５は実体顕微鏡用の同軸落射照明装置の構成図である。対物レンズ７の先端部７ａには、筐体としての照明切換え枠９がクランプビス３０等により固定される。この照明切換え枠９は、対物レンズ７の先端部７ａに取付けるための実体顕微鏡取付部３１が設けられている。この照明切換え枠９内には、半透明鏡２０と２つのコンデンサレンズ２２、２３とが設けられている。
【００３２】
又、照明切換え枠９には、各ファイバ光源２４、２５を取付けるための各ファイバ取付部３２、３３が設けられている。これらファイバ取付部３２、３３は、２つの照明光軸ｎ、ｎ’上で各コンデンサレンズ２２、２３よりも各ファイバ光源２４、２５側である。これらファイバ取付部３２、３３には、各ファイバ光源２４、２５が取付けられ、図示しないビスやバネ等により固定されている。
【００３３】
照明切換え枠９には、回転板３４が一端側に設けられた軸３５を中心に矢印Ｓ方向に回転可能に設けられている。この回転板３４の他端側には、図６に示すようにミラー２１が設けられている。
【００３４】
又、照明切換え枠９には、回転板３４の回転軌道上に２つの凸部３６、３７が設けられている。これら凸部３６、３７は、回転板３４と接触することにより回転板３４の回転範囲を規制する。
【００３５】
軸３５にはツマミ３８が取り付けられている。このツマミ３８は、照明切換え枠９の外側（紙面の裏側）に突出して取り付けられている。このツマミ３８は、軸３５に対して回転板３４の回転動作に重さ出しをするための図示しないサラバネ等を介して取り付けられている。このツマミ３８を矢印Ｓ方向に回すことにより回転板３４及びミラー２１が回転する。
【００３６】
次に、上記の如く構成された装置の動作について説明する。
【００３７】
同軸落射照明と傾斜照明との切り換えは、ツマミ３８を矢印Ｓ方向に回転させることにより行う。ツマミ３８の回転操作により回転板３４は、軸３５を中心に回転する。この回転板３４の回転に伴なってミラー２１が回転する。
【００３８】
回転板３４が一方の凸部３６に当接した状態（ミラーを実線で表示）では、ミラー２１は各照明光軸ｎ、ｎ’と各照明光軸ｑ、ｑ’との交点に位置する。
【００３９】
この状態において、２つのファイバ取付部３２、３３に２つのファイバ光源２４、２５を取付け、これらファイバ光源２４、２５からそれぞれ各照明光を出射すると、これら照明光は、各コンデンサレンズ２２、２３により集光され、ミラー２１及び半透明鏡２０により偏向される。
【００４０】
これにより、各照明光は、標本２に対して実体顕微鏡の観察光軸ｍ、ｍ’と同軸で照明されるため、同軸落射照明による観察が可能となる。
【００４１】
一方、ツマミ３８の回転操作により回転板３４が他方の凸部３７に当接した状態（ミラー２１を破線で表示）では、ミラー２１は各照明光軸ｑ、ｑ’上から外れた位置にある。
【００４２】
この状態において、２つのファイバ光源２４、２５から出射される各照明光は、標本２を直接、斜め上方から照射する。これにより、傾斜照明による標本２の観察が可能になる。このとき、２つのファイバ光源２４、２５の位置を光軸方向に可変すると、すなわちファイバ光源２４、２５と各コンデンサレンズ２２、２３とのクリアランスを変えると、標本２に対する傾斜照明の照射範囲が変わる。
【００４３】
又、ミラー２１の代わりにハーフミラーを用いると同軸落射照明と傾斜照明とを同時に行える。
【００４４】
このように上記第１の実施の形態によれば、対物レンズ７の先端部７ａに取り付けた照明切換え枠９内において、ミラー２１を各照明光軸ｑ、ｑ’に対して挿脱可能に設けたので、ツマミ３８を回転させるという簡単な操作で同軸落射照明と傾斜照明との切換えができる。２つのファイバ光源２４、２５は、同軸落射照明と傾斜照明とに共通であり、ミラー２１を挿脱させるだけなので、簡単な構成で非常に安価にできる。
【００４５】
又、照明切換え枠９内でミラー２１を回転させても、２つの観察光軸ｍ、ｍ’及び傾斜照明したときの２つの照明光軸ｑ、ｑ’を遮ることはない。
【００４６】
次に、本発明の第２の実施の形態について説明する。なお、図５と同一部分には同一符号を付してその詳しい説明は省略する。
【００４７】
図７は同軸落射照明装置の構成図である。各照明光軸ｎ、ｎ’と各照明光軸ｑ、ｑ’との交点に配置されるミラー２１は、スライド軸４０に備えられる。スライド軸４０は、照明切換え枠９に設けられたスライド用孔４１に対して嵌装され、かつ摺動自在に取り付けられている。スライド用孔４１は、両端に各壁部４１ａ、４１ｂを形成する。このスライド用孔４１は、当該孔内にスライド軸４０をスライド移動させ、かつ各壁部４１ａ、４１ｂにスライド軸４０を当接させることによりスライド軸４０の摺動範囲を規制する。
【００４８】
スライド軸４０には、ツマミ４２が取り付けられている。このツマミ４２は、照明切換え枠９の外側に突出している。このツマミ４２は、矢印Ｔ方向に移動させることによりスライド軸４０及びミラー２１を矢印Ｔ方向に移動させる。
【００４９】
次に、上記の如く構成された装置の動作について説明する。
【００５０】
同軸落射照明と傾斜照明の切り換えは、ツマミ４２を矢印Ｔ方向にスライド操作させることにより行う。ツマミ４２のスライド操作によりスライド軸４０は、スライド用孔４１内にスライド移動する。
【００５１】
スライド軸４０がスライド用孔４１の一方の壁部４１ａに当接させた状態（ミラー２１を実線で表示）では、ミラー２１は各照明光軸ｎ、ｎ’と各照明光軸ｑ、ｑ’との交点に位置する。
【００５２】
２つのファイバ取付部３２、３３に２つのファイバ光源２４、２５を取付けて、これらファイバ光源２４、２５から各照明光を出射すると、これら照明光は、各コンデンサレンズ２２、２３により集光され、ミラー２１及び半透明鏡２０により偏向される。これにより、各照明光は、標本２に対して実体顕微鏡の観察光軸ｍ、ｍ’と同軸で照明され、同軸落射照明による観察が可能となる。
【００５３】
一方、ツマミ４２のスライド操作によりスライド軸４０をスライド用孔４１の他方の壁部４１ｂに当接させた状態（ミラー２１を破線で表示）では、ミラー２１は各照明光軸ｑ、ｑ’上から外れる。
【００５４】
これにより、各ファイバ光源２４、２５から出射された各照明光は、標本２を直接、斜め上方から照射するものとなり、傾斜照明による観察が可能となる。
【００５５】
このように上記第２の実施の形態によれば、ミラー２１をスライド移動させるだけで、上記第１の実施の形態と同様の効果を奏することができる。
【００５６】
次に、本発明の第３の実施の形態について説明する。なお、図５と同一部分には同一符号を付してその詳しい説明は省略する。
【００５７】
図８は同軸落射照明装置の構成図である。各観察光軸ｍ、ｍ’と各照明光軸ｎ、ｎ’の交点に配置される半透明鏡２０は、回転板５０に設けられている。この回転板５０は、照明切換え枠９に対して軸５１を中心に回転自在に取り付けられている。
【００５８】
照明切換え枠９には、各凸部５２、５３が設けられている。これら凸部５２、５３は、回転板５０と接触することにより回転板５０の回転範囲を規制する。
【００５９】
軸５１には、照明切換え枠９の外側に突出したツマミ５４が取り付けられている。このツマミ５４の矢印Ｕ方向への回転により回転板５０及び半透明鏡２０が回転する。
【００６０】
次に、上記の如く構成された装置の動作について説明する。
【００６１】
同軸落射照明と傾斜照明の切り換えは、第１の実施の形態と同様にツマミ３８を矢印Ｕ方向に回転させることにより行う。ツマミ３８の回転操作により回転板３４は、軸３５を中心に回転して凸部３６又は凸部３７に当接する。回転板３４が凸部３６に当接した状態（ミラー２１を実線で表示）では、ミラー２１は、各照明光軸ｎ、ｎ’と各照明光軸ｑ、ｑ’との交点に位置する。
【００６２】
これと共にもう一方のツマミ５４の回転操作により回転板５０は、軸５１を中心に回転して凸部５２又は凸部５３に当接する。回転板５０が凸部５２に当接した状態（半透明鏡２０を実線で表示）では、半透明鏡２０は各観察光軸ｍ、ｍ’と照明光軸ｎ、ｎ’との交点に位置する。
【００６３】
この状態において、２つのファイバ取付部３２、３３に２つのファイバ光源２４、２５を取付け、これらファイバ光源２４、２５から各照明光を出射すると、これら照明光は、各コンデンサレンズ２２、２３により集光され、ミラー２１及び半透明鏡２０により偏向される。これにより、照明光は、標本２に対して実体顕微鏡の各観察光軸ｍ、ｍ’と同軸で照明されるので、同軸落射照明による観察が可能となる。
【００６４】
一方、ツマミ３８の回転操作により回転板３４が凸部３７に当接した状態（ミラー２１を破線で表示）では、ミラー２１は各照明光軸ｑ、ｑ’上から外れる。これと共にツマミ５４の回転操作により回転板５０を凸部５３に当接させた状態（半透明鏡２０を破線で表示）では、半透明鏡２０は各観察光軸ｍ、ｍ’から外れる。
【００６５】
この状態において、各ファイバ光源２４、２５から出射された各照明光は、標本２に対して直接、斜め上方から照射するので、傾斜照明による観察が可能となる。
【００６６】
このように上記第３の実施の形態によれば、半透明鏡２０を回転板５０の回転により各観察光軸ｍ、ｍ’に対して挿脱可能にしたので、上記第１の実施の形態と同様な効果を奏することができるのは勿論のこと、傾斜照明時に半透明鏡２０を各観察光軸ｍ、ｍ’から外すことができ、傾斜照明時における標本２の観察像の解像度及び明るさを向上できる。
【００６７】
次に、本発明の第４の実施の形態について説明する。なお、図５と同一部分には同一符号を付してその詳しい説明は省略する。
【００６８】
図９は同軸落射照明装置の構成図である。各観察光軸ｍ、ｍ’と各照明光軸ｎ、ｎ’との交点に配置される半透明鏡２０は、観察側回転板６０に備えられている。各照明光軸ｎ、ｎ’と各照明光軸ｑ、ｑ’との交点に配置されるミラー２１は、照明側回転板６１に備えられる。
【００６９】
観察側回転板６０と照明側回転板６１は、互いに所定の角度を開けて一体形成されている。これら観察側回転板６０と照明側回転板６１は、軸６２を中心に矢印Ｖ方向に回転する。
【００７０】
照明切換え枠９には、各凸部６３、６４が設けられている。これら凸部６３、６４は、観察側回転板６０と接触することにより観察側回転板６０及び照明側回転板６１の回動範囲を規制する。
【００７１】
軸６２には、照明切換え枠９の外側に突出したツマミ６５が取り付けられている。このツマミ６５を矢印Ｖ方向に回転させることにより観察側回転板６０及び照明側回転板６１が一体に回転し、これに伴なってミラー２１及び半透明鏡２０が回転する。
【００７２】
次に、上記の如く構成された装置の動作について説明する。
【００７３】
同軸落射照明と傾斜照明の切り換えは、第１の実施の形態と同様にツマミ６５を回転させることにより行う。ツマミ６５の回転操作により観察側回転板６０及び照明側回転板６１は、軸６２を中心に一体的に回転する。
【００７４】
これら観察側回転板６０及び照明側回転板６１の回転により観察側回転板６０が一方の凸部６３に当接した状態（ミラー２１及び半透明鏡２０を実線で表示）では、ミラー２１は各照明光軸ｎ、ｎ’と各照明光軸ｑ、ｑ’との交点に位置し、半透明鏡２０は各観察光軸ｍ、ｍ’と各照明光軸ｎ、ｎ’との交点に位置する。
【００７５】
この状態において、２つのファイバ取付部３２、３３に２つのファイバ光源２４、２５を取付け、これらファイバ光源２４、２５から各照明光を出射すると、これら照明光は、各コンデンサレンズ２２、２３により集光され、ミラー２１及び半透明鏡２０により偏向される。これにより、照明光は、標本２に対して実体顕微鏡の各観察光軸ｍ、ｍ’と同軸で照明されるので、同軸落射照明による標本２の観察が可能となる。
【００７６】
一方、ツマミ６５の回転操作により観察側回転板６０が他方の凸部６４に当接した状態（ミラー２１及び半透明鏡２０を破線で表示）では、ミラー２１は各照明光軸ｑ、ｑ’上から外れ、かつ半透明鏡２０も各観察光軸ｍ、ｍ’から外れる。
【００７７】
この状態において、各ファイバ光源２４、２５から出射された各照明光は、標本２に対して直接、斜め上方から照射するので、傾斜照明による標本２の観察が可能となる。
【００７８】
このように上記第４の実施の形態によれば、ミラー２１及び半透明鏡２０を一体的に回転するようしたので、ツマミ６５を回転させるという簡単な操作で同軸落射照明と傾斜照明との切換えができ、かつ傾斜照明時に半透明鏡２０を各観察光軸ｍ、ｍ’から外すことにより傾斜照明時における標本２の観察像の解像度及び明るさを向上でき、さらにこれら効果を１つのツマミ６５を回転させるだけのワンアクションで達成できる。
【００７９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００８０】
例えば、ミラー２１を各照明光軸ｑ、ｑ’に挿脱する機構と半透明鏡２０を各観察光軸ｍ、ｍ’に挿脱する機構とは、回転板による回転又はスライド方式を用いるのでなく、レール等の軌道を設け、この軌道上に沿ってミラー２１、半透明鏡２０を移動させてもよい。又、挿脱機構は、他のあらゆる機構を設けてもよい。
【００８１】
又、ミラー２１、半透明鏡２０は、各軸３５、５１、６２にモータの軸を連結し、モータの正転・逆転により回転移動させて各照明光軸ｑ、ｑ’、各観察光軸ｍ、ｍ’に挿脱してもよい。
【００８２】
又、基本概念である光路切り換えを実現する反射機構については、上述した実施の形態に限られるものでなく、同軸落射照明と傾斜照明とが選択できるなら入射光の入る位置（ファイバ位置）はどこでもよい。
【００８３】
【発明の効果】
以上詳記したように本発明によれば、同軸落射照明装置を実体顕微鏡に装着したままで、同軸落射照明と傾斜照明との切り換えが容易な実体顕微鏡用同軸落射照明装置を提供できる。
【図面の簡単な説明】
【図１】本発明に係わるグリノー型実体顕微鏡の外観図。
【図２】同顕微鏡の光学系の鳥瞰図。
【図３】同顕微鏡の光学系の正面図。
【図４】同顕微鏡の光学系の側面図。
【図５】本発明に係わる実体顕微鏡用同軸落射照明装置の第１の実施の形態をグリノー型実体顕微鏡に適用した構成図。
【図６】同装置における回転板及びミラーの外観図。
【図７】本発明に係わる実体顕微鏡用同軸落射照明装置の第２の実施の形態をグリノー型実体顕微鏡に適用した構成図。
【図８】本発明に係わる実体顕微鏡用同軸落射照明装置の第３の実施の形態をグリノー型実体顕微鏡に適用した構成図。
【図９】本発明に係わる実体顕微鏡用同軸落射照明装置の第４の実施の形態をグリノー型実体顕微鏡に適用した構成図。
【符号の説明】
１：ステージ、２：標本、３：架台、４：顕微鏡鏡体、５：支持アーム、６：焦準ハンドル、７：対物レンズ、８：接眼レンズ、９：照明切換え枠、１０：照明用光ファイバ、２０：半透明鏡、２１：ミラー、２２，２３：コンデンサレンズ、２４，２５：ファイバ光源、３０：クランプビス、３１：実体顕微鏡取付部、３２，３３：ファイバ取付部、３４：回転板、３５：軸、３６，３７：凸部、３８：ツマミ、４０：スライド軸、４１：スライド用孔、４１ａ，４１ｂ：壁部、４２：ツマミ、５０：回転板、５１：軸、５２，５３：凸部、５４：ツマミ、６０：観察側回転板、６１：照明側回転板、６２：軸、６３，６４：凸部、６５：ツマミ。
【図１】
2004361582.tif 000003
【図２】
2004361582.tif 000004
【図３】
2004361582.tif 000005
【図４】
2004361582.tif 000006
【図５】
2004361582.tif 000007
【図６】
2004361582.tif 000008
【図７】
2004361582.tif 000009
【図８】
2004361582.tif 000010
【図９】
2004361582.tif 000011